(57)【特許請求の範囲】
【請求項１】
ステータとロータとを有するモータ本体を収容したモータケースに防水用グロメットが取り付けられ、前記モータ本体につながるリード線が前記防水用グロメットを通して前記モータケースの径方向に導出されているモータにおいて、
横方向寸法が縦方向寸法よりも長い横長の横断面形状を有する胴部と該胴部の軸線方向の両端からそれぞれ突出した一対の鍔部と前記胴部を軸線方向に貫通した複数のリード線挿通孔とを有する軸方向保持用グロメットが設けられて、前記複数のリード線を前記軸方向支持用グロメットのリード線挿通孔に通した状態で前記軸方向保持用グロメットが前記防水用グロメットから導出されたリード線に取り付けられ、
前記モータケースの外周の前記防水用グロメットに隣接する位置に外側に張り出した張出部が設けられて、前記軸方向保持用グロメットの胴部の軸線を前記モータケースの軸線方向に向けた状態で該胴部を嵌合させる横長の長孔部と前記長孔部の長手方向の中間部を前記モータケースの径方向の外側に開口させる開口部とを有する切欠き部が前記モータケースの張出部に設けられ、
前記軸方向保持用グロメットの胴部の長手方向を前記切欠き部の長孔部の長手方向に対して直角な方向に向けた状態で該胴部を前記切欠き部の開口部から前記切欠き部内に挿入した後該軸方向保持用グロメットの胴部の長手方向を前記切欠き部の長孔部の長手方向に一致させるように前記軸方向保持用グロメットをその軸線の回りに回転させることにより前記胴部を前記切欠き部の長孔部内に嵌合させ得るように、前記切欠き部の各部の寸法が設定され、
前記軸方向保持用グロメットの胴部が前記切欠き部の長孔部内に嵌合されて前記リード線が前記モータケースの軸線に沿う方向に引き出されていること、
を特徴とするモータ。
【発明の詳細な説明】
【技術分野】
【０００１】
本発明は、モータ本体につながるリード線がモータケースの軸線方向に沿って引き出されるモータに関するものである。
【背景技術】
【０００２】
船外機のチルト機構の油圧ユニットを駆動するモータにおいては、そのモータ本体につながる複数のリード線をモータケースの軸線方向に沿って引き出すことが必要とされる。この種のモータのリード線引き出し構造としては、特許文献１に示されているように、モータケースの外周に形成した鍔部に、各リード線をモータケースの軸線方向に向けた状態できつく嵌合させるリード線保持溝を設けて、モータケースからその径方向に沿って引き出された各リード線を軸線方向に沿うように曲げて、上記リード線保持溝内にきつく嵌合させることにより、各リード線をモータケースの軸線方向に引き出すようにしたものが知られている。
【０００３】
また特許文献２に示されているように、モータケースからその径方向に引き出されるリード線の向きを軸線方向に変えるように湾曲した案内孔を有する特殊な形状のグロメットをモータケースに取り付けて、該グロメットを通してリード線をモータケースの軸線方向に引き出すようにしたものも知られている。
【特許文献１】特開２００５−６５４６９号公報
【特許文献２】実開平４−４７３６４号公報
【発明の開示】
【発明が解決しようとする課題】
【０００４】
特許文献１に示されたリード線引き出し構造では、リード線がリード線保持溝から外れないようにするために、リード線保持溝の幅をリード線の外径よりも小さくする必要があったため、リード線をリード線保持溝内に係入する際にリード線の絶縁被覆に傷がつくことがあった。またモータを所定の箇所に取り付けた状態で、リード線に外力が働き、リード線がリード線保持溝に対して動いたときにリード線の被覆がリード線保持溝の内面に対して擦れるため、リード線の被覆に傷がつくことがあった。
【０００５】
船外機のチルト機構を駆動するモータのように、海水等が触れるおそれがあるモータにおいては、耐食性を高めるために、モータケースの外面に防食塗装を施すことが行われるが、リード線の被覆に傷があると、防食塗装を施す際に加えられる熱によりリード線の被覆が傷の部分で破れるおそれがある。従って、リード線の被覆はできるだけ傷がつかないようにしておくことが好ましい。
【０００６】
また特許文献２に示されたように湾曲した案内孔を有する特殊なグロメットを用いた場合には、グロメットの案内孔に各リード線を挿入するのに手間がかかるため、リード線の引き出し作業を能率良く行うことができないという問題があった。
【０００７】
本発明の目的は、リード線を挿通させる孔が湾曲した特殊な形状のグロメットを用いることなく、しかもリード線の被覆を傷つけることなく、リード線をモータケースの軸線方向に沿って引き出すことができるようにしたモータを提供することにある。
【課題を解決するための手段】
【０００８】
本発明は、ステータとロータとを有するモータ本体を収容したモータケースに防水用グロメットが取り付けられ、モータ本体につながるリード線が防水用グロメットを通してモータケースの径方向に導出されているモータを対象とする。
【０００９】
本発明においては、横方向寸法が縦方向寸法よりも長い横長の横断面形状を有する胴部と該胴部の軸線方向の両端からそれぞれ突出した一対の鍔部と前記胴部を軸線方向に貫通した複数のリード線挿通孔とを有する軸方向保持用グロメットが設けられて、複数のリード線を軸方向支持用グロメットのリード線挿通孔に通した状態で軸方向保持用グロメットが防水用グロメットから導出されたリード線に取り付けられる。
【００１０】
また本発明においては、モータケースの外周の防水用グロメットに隣接する位置に外側に張り出した張出部が設けられて、軸方向保持用グロメットの胴部の軸線をモータケースの軸線と平行に向けた状態で該胴部を嵌合させる横長の長孔部と長孔部の長手方向の中間部をモータケースの径方向の外側に開口させる開口部とを有する切欠き部がモータケースの張出部に設けられている。そして、軸方向保持用グロメットの胴部の長手方向を切欠き部の長孔部の長手方向に対して直角な方向に向けた状態で該胴部を切欠き部の開口部から切欠き部内に挿入した後該グロメットの胴部の長手方向を切欠き部の長孔部の長手方向に一致させるように軸方向保持用グロメットをその軸線の回りに回転させることにより軸方向保持用グロメットの胴部を切欠き部の長孔部内に嵌合させ得るように、切欠き部の各部の寸法が設定され、軸方向保持用グロメットの胴部が切欠き部の長孔部内に嵌合されてリード線がモータケースの軸線に沿う方向に引き出されている。
【００１１】
上記のように構成すると、リード線は、弾力性を有するグロメットのリード線挿通孔内を通してモータケースの軸線方向に引き出されるため、リード線の被覆を損傷することなくリード線の引き出しを行うことができる。またリード線はグロメットにより保持されているため、モータ使用時にリード線に外力が加わった際にリード線の被覆が擦れて損傷するおそれをなくすことができる。
【００１２】
更に、軸方向保持用グロメットのリード線挿通孔は湾曲していないため、該リード線挿通孔へのリード線の挿入は容易に行うことができ、また軸方向保持用グロメットは、その胴部の長手方向を切欠き部の長孔部の長手方向に対して直角な方向に向けた状態で該胴部を切欠き部の開口部から切欠き部内に挿入した後、該グロメットの胴部の長手方向を切欠き部の長孔部の長手方向に一致させるようにグロメットをその軸線の回りに回転させることにより、切欠き部内に無理なく保持させることができるため、その取り付けを容易に行うことができ、リード線の引き出し作業を簡単にすることができる。
【発明の効果】
【００１３】
以上のように、本発明によれば、モータケースから防水用グロメットを通して径方向に引き出されたリード線を、弾力性を有する軸方向支持用グロメットのリード線挿通孔を通してモータケースの軸線方向に引き出す構造としたため、リード線の被覆を損傷することなくリード線の引き出しを行うことができる。またリード線はグロメットを介してモータケースに保持されているため、モータの使用時にリード線に外力が加わった際にリード線の被覆が擦れて損傷するおそれを無くすことができる。
【００１４】
更に本発明によれば、軸方向保持用グロメットのリード線挿通孔へのリード線の挿入を容易に行うことができ、また軸方向保持用グロメットは、その胴部をモータケースに設けられた切欠き部の開口部から該切欠き部内に挿入した後、胴部をその軸線の回りに回転させることにより、切欠き部内に容易に保持させることができるため、リード線の引き出し作業を簡単にすることができる。
【発明を実施するための最良の形態】
【００１５】
以下図面を参照して本発明の好ましい実施形態を詳細に説明する。
図１及び図２は本発明に係わるモータの一構成例を示したもので、図１は半部を断面して示した正面図、図２は図１の左側面図である。これらの図において１はモータケース、２はモータケース１内に収容されたモータ本体である。モータケース１は、一端が端部壁１０１ａにより閉じられ、他端が開口した円筒状のケース本体１０１と、該ケース本体の開口部を閉じるエンドカバー１０２とからなっている。ケース本体１０１の開口端には鍔部１０３が設けられ、該鍔部の外周部に、３つの張出部１０３ａないし１０３ｃが１２０°間隔で設けられている。張出部１０３ａないし１０３ｃをそれぞれ貫通した３本のボルト１０４がエンドカバー１０２にねじ込まれ、これらのボルトによりケース本体の鍔部１０３とエンドカバー１０２とが締結されている。張出部１０３ａは、後記する軸方向支持用グロメットを保持するため、他の張出部１０３ｂ及び１０３ｃよりも、モータケースの周方向に大きな寸法を有するように形成されている。
【００１６】
モータ本体２は、カバー本体１０１の内周に嵌合された円筒状のヨーク２０１とこのヨークの内周に固定された永久磁石２０２とからなるステータ２０３と、一端がエンドカバー１０３の中央部に軸受け２０５により回転自在に支持され、他端がカバー本体１０１の端部壁１０１ａの中央部に設けられた凹部内に保持された軸受け２０６により回転自在に支持されて、一端がエンドカバー１０２の中央部から外側に導出された回転軸２０７と、回転軸２０７に取り付けられたロータ２０８とを備えている。
【００１７】
ロータ２０８は、ステータ２０３の内側に配置されて回転軸２０７に取り付けられた電機子鉄心２０９と、電機子鉄心２０９のスロットに巻回された電機子コイル２１０とからなっていて、電機子鉄心２０９の外周に設けられた磁極部がステータ２０３の磁極に所定のギャップを介して対向させられている。
【００１８】
回転軸２０７には電機子コイル２１０に接続された整流子２１１が取り付けられ、この整流子には、カバー本体１０１に固定されたブラシホルダ２１２に保持されたブラシ２１３が接触させられている。
【００１９】
ブラシ２１３は１８０°の角度間隔をもって一対設けられていて、これらのブラシに一端が接続された２本のリード線３及び４がモータケース１から外部に導出されている。図示の例では、カバー本体１０１の鍔部１０３に設けられた張出部１０３ａに隣接させて、エンドカバー１０２の周壁部を貫通したグロメット取付孔が設けられ、このグロメット取付孔内に取り付けられた防水用グロメット５のリード線挿通孔を通してリード線３及び４がモータケースの径方向に導出されている。防水用グロメット５は、ゴムなどの弾性を有する絶縁材料からなっていて、グロメット取付孔内に圧縮された状態で取り付けられている。
【００２０】
本発明においては、防水用グロメット５を通して導出されたリード線３及び４に軸方向保持用グロメット６が取り付けられている。図４に示されているように、軸方向保持用グロメット６は、ゴムなどの弾性を有する絶縁材料からなっていて、横方向寸法Ａ1が縦方向寸法Ｂ1よりも長い横長の横断面形状を有する胴部６００と、この胴部の軸線方向の両端からそれぞれ突出した一対の鍔部６０１，６０２とを一体に有しており、胴部６００には、該胴部を軸線方向に貫通した複数（図示の例では２つ）のリード線挿通孔６０３，６０４が形成されている。本実施形態では、軸方向保持用グロメット６の胴部６００の横断面の輪郭形状が、長方形の４つの角度部に丸みをつけた形状に形成されている。この軸方向保持用グロメット６は、リード線３及び４をそれぞれリード線挿通孔６０３及び６０４に通した状態で防水用グロメット５から導出されたリード線３及び４に取り付けられる。
【００２１】
上記のようにしてリード線３及び４に取り付けられた軸方向保持用グロメット６をモータケースに取り付けるため、モータケースの外周の防水用グロメット５に隣接する位置から外側に張り出した状態で設けられた張出部１０３ａに、切欠き部７が設けられている。図５に示されているように、この切欠き部７は、、軸方向保持用グロメット６の軸線をモータケース１の軸線方向に向けた状態で該胴部を嵌合させる横長の長孔部７０１と、長孔部７０１の長手方向の中間部をモータケースの径方向の外側に開口させる開口部７０２とを有している。長孔部７０１の横断面の輪郭形状は、軸方向保持用グロメット６の胴部６００の横断面の輪郭形状と同様の形状に形成されている。
【００２２】
そして、本発明においては、図６に示すように、軸方向保持用グロメット６の胴部６００の長手方向を切欠き部７の長孔部７０１の長手方向に対して直角な方向に向けた状態で該胴部６００を切欠き部の開口部７０２から切欠き部７内に挿入した後、グロメット６の胴部６００の長手方向を切欠き部７の長孔部７０１の長手方向に一致させるようにグロメット６をその軸線の回りに回転させることにより、図２及び図３に示したようにグロメット６の胴部６００を切欠き部の長孔部７０１内に嵌合させることができるように、切欠き部７の長孔部７０１及び開口部７０２の寸法が設定され、図２及び図３に示したように、グロメット６の胴部６００が切欠き部７の長孔部７０１内に嵌合された状態で、リード線３及び４がモータケース１の軸線に沿う方向に引き出されている。  
【００２３】
上記のようにしてグロメット６を切欠き７内に挿入するためには、切欠き部７の開口部７０２の開口寸法Ｃを、グロメット６の胴部６００の縦方向寸法（幅寸法）Ｂ1に等しくするか、またはＢ1−０．２×Ｂ1≦Ｃ≦Ｂ1＋０．２×Ｂ1の範囲に設定するのが好ましい。
【００２４】
また切欠き部７の長孔部７０１の横方向寸法（長手方向寸法）Ａ2は、グロメット６の胴部６００の横方向寸法Ａ1の１．１倍ないし１．４倍（Ａ1×１．１≦Ａ2≦Ａ1×１．４）の範囲に設定するのが好ましく、切欠き部７の長孔部７０１の縦方向寸法（幅寸法）Ｂ2は、グロメット６の胴部６００の縦方向寸法Ｂ1の１．０５ないし１．２倍（Ｂ1×１．０５≦Ｂ2≦Ｂ1×１．２）の範囲に設定するのが好ましい。
【００２５】
更に、グロメット６の硬度は、Ｈs ３０〜７０の範囲にあることが望ましい。
【００２６】
本発明の好ましい実施例では、グロメット６の寸法を、Ａ1＝１２mm、Ｂ1＝６．５mmとし、切欠き部７の寸法を、Ａ2＝１６mm，Ｂ2＝７mm，Ｃ＝６．５mmとした。
【００２７】
上記のように構成すると、リード線３及び４は、弾力性を有するグロメット６のリード線挿通孔６０２及び６０３内を通してモータケースの軸線方向に引き出されるため、リード線３及び４の被覆を損傷することなくリード線の引き出しを行うことができる。
【００２８】
またリード線３及び４はグロメット６により保持されているため、モータ使用時にリード線３及び４に外力が加わった際に、リード線の被覆が擦れて損傷するおそれをなくすことができる。
【００２９】
更に、軸方向保持用グロメット６のリード線挿通孔６０２及び６０３は、胴部６００を軸線方向に貫通していて、湾曲していないため、リード線挿通孔６０２及び６０３へのリード線の挿入は容易に行うことができる。また軸方向保持用グロメット６は、その胴部の長手方向を切欠き部７の長孔部７０１の長手方向に対して直角な方向に向けた状態で該胴部を切欠き部の開口部から切欠き部内に挿入した後、該グロメットの胴部６００の長手方向を切欠き部の長孔部７０１の長手方向に一致させるようにグロメット６をその軸線の回りに回転させることにより、切欠き部内に無理なく保持させることができるため、その取り付けを容易に行うことができ、リード線３，４の引き出し作業を簡単にすることができる。
【００３０】
上記の実施形態では、軸方向保持用グロメット６の胴部６００の横断面の輪郭形状を、長方形の角部に丸みをつけた形状としたが、軸方向保持用グロメット６の胴部６００の横断面の輪郭形状は、横長であれば良く、胴部６００の横断面の輪郭形状は、楕円形や長円形とすることもできる。
【００３１】
上記の例では、モータケースから２本のリード線を引き出しているが、３本以上のリード線を引き出す場合にも本発明を適用できるのはもちろんである。
【図面の簡単な説明】
【００３２】
【図１】本発明の実施形態の半部を断面して示した正面図である。
【図２】図１の左側面図である。
【図３】図１のモータの要部の拡大上面図である。
【図４】（Ａ）及び（Ｂ）はそれぞれ本発明の実施形態で用いるグロメットの正面図及び底面図である。
【図５】図１のモータに設けられる切欠き部を拡大して示した正面図である。
【図６】本発明の実施形態において、グロメットを切欠き部に挿入する方法を説明するための説明図である。
【符号の説明】
【００３３】
１  モータケース
１０１  ケース本体
１０２  エンドカバー
１０３  鍔部
１０３ａ  張出部
１０４  ボルト
２  モータ本体
２０３  ステータ
２０７  回転軸
２０８  ロータ
３，４  リード線
５  防水用グロメット
６  軸方向保持用グロメット
６００  胴部
６０１，６０２  鍔部
６０３，６０４  リード線挿通孔
７  切欠き部
７０１  長孔部
７０２  開口部
【図１】
0004752470.tif 000002
【図２】
0004752470.tif 000003
【図３】
0004752470.tif 000004
【図４】
0004752470.tif 000005
【図５】
0004752470.tif 000006
【図６】
0004752470.tif 000007